(57)【要約】      （修正有）【課題】電子レンジの加熱による内部蒸気の自動開放した後の開封を容易にした電子レンジ用包装袋の提供。【解決手段】電子レンジ用包装袋１は、一枚の矩形形状のフィルムの両側をヒートシールによる合掌貼りヒートシール部１Ａ、一方の端部をヒートシールによる一方端部側ヒートシール部１Ｂ、他方の端部をヒートシールによる他方端部側ヒートシール部１Ｃによって形成される電子レンジ用包装袋１であって、合掌貼りヒートシール部１Ａは、一方端部側ヒートシール部１Ｂ及び他方端部側ヒートシール部１Ｃより弱シールで、電子レンジの加熱による内部蒸気の自動開放を形成する部位であり、合掌貼りヒートシール部１Ａのフィルムの合掌縁部側にヒートシールされていない非ヒートシール部１Ａ’が残存しているものである。【選択図】図１
2006335365.tif 000002
【特許請求の範囲】
【請求項１】
一枚の矩形形状のフィルムの両側をヒートシールによる合掌貼りヒートシール部、一方の端部をヒートシールによる一方端部側ヒートシール部、他方の端部をヒートシールによる他方端部側ヒートシール部によって形成される電子レンジ用包装袋であって、
前記合掌貼りヒートシール部は、前記一方端部側ヒートシール部及び前記他方端部側ヒートシール部より弱シールで、電子レンジの加熱による内部蒸気の自動開放を形成する部位であり、
前記合掌貼りヒートシール部の前記フィルムの合掌縁部側にヒートシールされていない非ヒートシール部が残存している
ことを特徴とする電子レンジ用包装袋。
【請求項２】
非ヒートシール部は、フィルムの合掌縁部の全体に亘って設けられている
ことを特徴とする請求項１記載の電子レンジ用包装袋。
【請求項３】
合掌貼りヒートシール部は、一方端部側ヒートシール部及び他方端部側ヒートシール部より剥離強度が弱いか、
又は、剥離強度は同じでも、合掌貼りヒートシール部のヒートシール幅が、前記一方端部側ヒートシール部及び前記他方端部側ヒートシール部のヒートシール幅より狭く形成されている
ことを特徴とする請求項１記載の電子レンジ用包装袋。
【請求項４】
ヒートシールされていない一対の非ヒートシール部の内の一方の非ヒートシール部と他方の非ヒートシール部とは、略１８０°になるように、左右に開くように折られている
ことを特徴とする請求項１〜３記載の電子レンジ用包装袋。
【発明の詳細な説明】
【技術分野】
【０００１】
この発明は、電子レンジ用包装袋に係り、特に、電子レンジの加熱による内部蒸気の自動開放した後の開封を容易にした電子レンジ用包装袋に関する。
【背景技術】
【０００２】
従来、電子レンジの加熱による内部蒸気の自動開放機構を備えた電子レンジ用包装袋がある（例えば、特許文献１参照）。
しかしながら、この包装袋では、電子レンジの加熱による内部蒸気によって自動開放するものの、自動開放後、電子レンジ用包装袋から被包装物を取り出すために、電子レンジ用包装袋を手で開封する際、開封しずらいという問題点があった。
【特許文献１】特開平１０−５９４３３号公報
【発明の開示】
【発明が解決しようとする課題】
【０００３】
本発明は、上記の問題点を除去するようにした電子レンジ用包装袋を提供することを目的とする。
【課題を解決するための手段】
【０００４】
上記目的を達成するために、本発明の電子レンジ用包装袋は、一枚の矩形形状のフィルムの両側をヒートシールによる合掌貼りヒートシール部、一方の端部をヒートシールによる一方端部側ヒートシール部、他方の端部をヒートシールによる他方端部側ヒートシール部によって形成される電子レンジ用包装袋であって、前記合掌貼りヒートシール部は、前記一方端部側ヒートシール部及び前記他方端部側ヒートシール部より弱シールで、電子レンジの加熱による内部蒸気の自動開放を形成する部位であり、前記合掌貼りヒートシール部の前記フィルムの合掌縁部側にヒートシールされていない非ヒートシール部が残存しているものである。
【０００５】
また、請求項２記載の電子レンジ用包装袋は、請求項１記載の電子レンジ用包装袋において、非ヒートシール部は、フィルムの合掌縁部の全体に亘って設けられているものである。
【０００６】
また、請求項３記載の電子レンジ用包装袋は、請求項１記載の電子レンジ用包装袋において、合掌貼りヒートシール部は、一方端部側ヒートシール部及び他方端部側ヒートシール部より剥離強度が弱いか、又は、剥離強度は同じでも、合掌貼りヒートシール部のヒートシール幅が、前記一方端部側ヒートシール部及び前記他方端部側ヒートシール部のヒートシール幅より狭く形成されているものである。
【０００７】
また、請求項４記載の電子レンジ用包装袋は、請求項１〜３記載の電子レンジ用包装袋において、ヒートシールされていない一対の非ヒートシール部の内の一方の非ヒートシール部と他方の非ヒートシール部とは、略１８０°になるように、左右に開くように折られているものである。
【発明の効果】
【０００８】
請求項１記載の電子レンジ用包装袋によれば、合掌貼りヒートシール部が電子レンジの加熱による内部蒸気の自動開放した後、使用者は合掌貼りヒートシール部のフィルムの合掌縁部側にヒートシールされていない非ヒートシール部を引っ張ることにより電子レンジ用包装袋を開封して、内容物を容易に取り出すことができる。
【０００９】
また、請求項２記載の電子レンジ用包装袋によれば、上述した請求項１記載の発明の効果に加え、非ヒートシール部は、フィルムの合掌縁部の全体に亘って設けられているため、合掌貼りヒートシール部の電子レンジの加熱による内部蒸気の自動開放した部位が合掌貼りヒートシール部のどの位置にあっても、対応することができる。
【００１０】
また、請求項４記載の電子レンジ用包装袋によれば、上述した請求項１〜３記載の発明の効果に加え、電子レンジによる加熱により合掌貼りヒートシール部の一部が開放された後、使用者が非ヒートシール部を迅速且つ容易に引っ張って、電子レンジ用包装袋を開封して、内容物を容易に取り出すことができる。
【実施例】
【００１１】
本発明の一実施例を添付した図面を参照して説明する。
図１及び図２に示す符号１は電子レンジ用包装袋で、該電子レンジ用包装袋１は、電子レンジ（図示せず）の加熱による内部蒸気の膨張により膨らんだ状態を示している。
１Ａは合掌貼りヒートシール部、１Ｂは一方端部側ヒートシール部、１Ｃは他方端部側ヒートシール部であり、合掌貼りヒートシール部１Ａは、一方端部側ヒートシール部１Ｂ及び他方端部側ヒートシール部１Ｃより弱シールで、電子レンジ（図示せず）の加熱による内部蒸気の自動開放を形成する部位となっている。
【００１２】
自動開放により合掌貼りヒートシール部１Ａの一部が開放された後、使用者は図４に示すように、合掌貼りヒートシール部１Ａのフィルムの合掌縁部１ａ側にヒートシールされていない非ヒートシール部１Ａ’を引っ張ることにより電子レンジ用包装袋１を開封して、内容物（図示せず）を容易に取り出すことができる。
【００１３】
非ヒートシール部１Ａ’は、図示しないが、図１の中央部分に部分的に設けても良いが、望ましくは、図１に示すように、非ヒートシール部１Ａ’は、フィルムの合掌縁部１ａの長手方向の全体に亘って設けられていると良い。
これは、合掌貼りヒートシール部１Ａの電子レンジの加熱による内部蒸気の自動開放した部位が合掌貼りヒートシール部１Ａの長手方向のどの位置にあっても、対応することができるためである。
【００１４】
上述した電子レンジ用包装袋１は、図５乃至図８に示すようにして作ることができる。    即ち、先ず、図５に示す一枚の矩形形状のフィルムＦの両側、つまり、辺ＡＢと辺ＣＤを突き合わせ、該突き合わせ部をヒートシールされていない非ヒートシール部１Ａ’を残存してヒートシールによって合掌貼りヒートシール部１Ａを形成する（図６参照）。
次に、図７に示すように、合掌貼りヒートシール部１Ａを中央に位置させ、一方の端部（図８で言えば、電子レンジ用包装袋１の下側の辺）をヒートシールによって一方端部側ヒートシール部１Ｂを形成する（図８参照）。その後、図８に示す矢印方向に被包装物（図示しないが、例えば、食品）を入れ、他方の端部（図８で言えば、電子レンジ用包装袋１の上側の辺）をヒートシールによって他方端部側ヒートシール部１Ｃを形成する（図１参照）。
【００１５】
なお、合掌貼りヒートシール部１Ａは、一方端部側ヒートシール部１Ｂ及び他方端部側ヒートシール部１Ｃより弱シールで、例えば、一方端部側ヒートシール部１Ｂ及び他方端部側ヒートシール部１Ｃより剥離強度が弱いか、又は、剥離強度は同じでも、合掌貼りヒートシール部１Ａのヒートシール幅（例えば、８mm）が、一方端部側ヒートシール部１Ｂ及び他方端部側ヒートシール部１Ｃのヒートシール幅（例えば、１２mm）より狭く形成されている。
【００１６】
また、ヒートシールされていない一対の非ヒートシール部１Ａ’は、望ましくは、図９及び図１０に示すように、一方の非ヒートシール部１Ａ’と他方の非ヒートシール部１Ａ’とは、略１８０°になるように、左右に開くように折られていると良い。
これは、電子レンジ（図示せず）による加熱により合掌貼りヒートシール部１Ａの一部が開放された後、使用者が非ヒートシール部１Ａ’を迅速且つ容易に引っ張って、電子レンジ用包装袋１を開封して、被包装物である内容物（図示せず）を容易に取り出すことができるためである。
なお、望ましくは、電子レンジ用包装袋１に内容物（図示せず）が充填される前に、左右に開くように、図示しないプレス等により一方の非ヒートシール部１Ａ’と他方の非ヒートシール部１Ａ’とは、略１８０°になるように、左右に開くように折られていると良い。
【図面の簡単な説明】
【００１７】
【図１】図１は、本発明の一実施例の電子レンジ用包装袋を加熱した状態を示す概略的斜視図である。
【図２】図２は、図１の２−２線による概略的断面図である。
【図３】図３は、図１の一部を拡大して示す概略的部分拡大断面図である。
【図４】図４は、図３のヒートシールされていない非ヒートシール部を引っ張って電子レンジ用包装袋を開封する状態の概略的断面図である。
【図５】図５は、一枚の矩形形状のフィルムの両側を突き合わせる過程を示す概略的斜視図である。
【図６】図６は、図５の突き合わせ部をヒートシールした状態を示す概略的斜視図である。
【図７】図７は、図６のヒートシールした部分を中央に寄せた場合を示す概略的斜視図である。
【図８】図８は、一方端部側ヒートシール部を形成した後、被包装物である内容物を入れる前の状態を示す概略的斜視図である。
【図９】図９は、図８の電子レンジ用包装袋の一方の非ヒートシール部と他方の非ヒートシール部とが、略１８０°になるように、左右に開くように折られた状態を示す概略的斜視図である。
【図１０】図１０は、図９の電子レンジ用包装袋に被包装物である内容物が充填され、充填側の端部をヒートシールして他方端部側ヒートシール部を形成した電子レンジ用包装袋を加熱した状態を示す概略的斜視図である。
【符号の説明】
【００１８】
１      電子レンジ用包装袋
Ｆ      フィルム
１Ａ    合掌貼りヒートシール部
１Ａ’  非ヒートシール部
１Ｂ    一方端部側ヒートシール部
１Ｃ    他方端部側ヒートシール部
【図１】
2006335365.tif 000003
【図２】
2006335365.tif 000004
【図３】
2006335365.tif 000005
【図４】
2006335365.tif 000006
【図５】
2006335365.tif 000007
【図６】
2006335365.tif 000008
【図７】
2006335365.tif 000009
【図８】
2006335365.tif 000010
【図９】
2006335365.tif 000011
【図１０】
2006335365.tif 000012